【誤訳訂正書】
【提出日】平成21年3月24日(2009.3.24)
【誤訳訂正１】
【訂正対象書類名】明細書
【訂正対象項目名】全文
【訂正方法】変更
【訂正の内容】
【書類名】  明細書
【発明の名称】  角部照明導波路と光抽出案内用の別個の素子を有する照明装置
【特許請求の範囲】
【請求項１】
光源からの光線を分配するための照明装置であって、
１よりも大きな第１屈折指数を有し前記光源からの光線を伝搬するための中実導波路、光抽出構造、及び前記光抽出構造を前記中実導波路と約１００％の接触率で結合するためのインターフェースを有し、
前記光抽出構造の上には、前記光抽出構造を介して直接前記中実導波路から光線が脱出することを促進するための光抽出特徴が画定されており、前記光抽出特徴は、断面で見ると広い側部と狭い側部を有し、前記光抽出特徴の前記広い側部は前記光抽出特徴の狭い側部よりも前記中実導波路に接近しており、
前記インターフェースは、前記中実導波路の第１屈折指数よりも小さな第２屈折指数を有し、
前記第２屈折指数は、少なくとも一部分において、前記照明装置からの光出力のためのカットオフ角度により決定され、前記第２屈折指数は式  ｎ２≦｛（ｎ１）２−（ｃｏｓＣ）２｝１／２によって求められ、
ここで、ｎ２は前記第２屈折指数であり、ｎ１は前記第１屈折指数であり、Ｃは照明装置からの光出力のカットオフ角度である、照明装置。
【請求項２】
前記インターフェースは、フッ素ポリマーベース、シリコンベース又はアクリルベースである請求項１の照明装置。
【請求項３】
前記光抽出構造は、前記光抽出構造の光出力面に画定される複数のレンチキュラ補正を有する請求項１の照明装置。
【請求項４】
前記中実導波路がアクリル又はポリカーボネートである請求項１の照明装置。
【請求項５】
前記光抽出構造からの光出力の分配を誘導するための光誘導構造を前記光抽出構造上に個別に更に有する請求項１の照明装置。
【請求項６】
光源からの光線を分配するための照明装置であって、
１よりも大きな第１屈折指数を有し前記光源からの光線を伝搬するための中実導波路、光抽出構造、前記光抽出構造を前記中実導波路と約１００％の接触率で結合するためのインターフェース、及び前記照明装置からの光出力の分配を誘導するための光誘導特徴が上部に画定された光誘導構造を前記光抽出構造とは別に更に有し、
前記光抽出構造の上には、前記光抽出構造を介して直接前記中実導波路から光線が脱出することを促進するための光抽出特徴が画定されており、前記光抽出特徴は、断面で見ると広い側部と狭い側部を有し、前記光抽出特徴の前記広い側部は前記光抽出特徴の狭い側部よりも前記中実導波路に接近しており、
前記インターフェースは、前記第１屈折指数よりも小さな第２屈折指数を有し、
前記光誘導特徴は、前記光抽出特徴に相補的な寸法および形状に形成され且つ両特徴間の嵌合内に配置され、
前記第２屈折指数は、少なくとも一部分において、前記照明装置からの光出力のためのカットオフ角度を決定し、前記第２屈折指数は、
式  ｎ２≦｛（ｎ１）２−（ｃｏｓＣ）２｝１／２
によって決定され、ここで、ｎ２は前記第２屈折指数であり、ｎ１は前記第１屈折指数であり、Ｃは前記照明装置からの光出力のカットオフ角度である、照明装置。
【請求項７】
光源から光線を分配するための照明装置であって、
１よりも大きな屈折指数を有する中実導波路、前記中実導波路に一体形成された光抽出構造、及び光誘導構造を含み、
前記光抽出構造は、前記中実導波路から前記光抽出構造を通る光線の通過を促進するための光抽出特徴を備え、
前記光誘導構造は、光抽出構造からの光線の分配を誘導するための光誘導特徴が上部に画定され、前記光抽出構造とは別個であり、前記光誘導特徴が、前記光抽出特徴に相補的な寸法及び形状にされ、両特徴間の嵌合内に配置される照明装置。
【請求項８】
前記光抽出特徴は、レンチキュラであり、台形、三角形、正方形、矩形、多面形、湾曲形で構成されたグループから選択された断面形状を有する請求項９の照明装置。
【発明の詳細な説明】
【０００１】
【発明の分野】
本発明は照射システムに関し、特に、光抽出構成要素と光誘導構成要素を個別に装備したエッジリット照射システムに関する。
【０００２】
【従来技術の説明】
一般に、１列の光誘導アレー（ＬＤＡ）を用いた照射システムにおける光の抽出と誘導の両方は、導波路と物理的、光学的に密接に接続している１列のＬＤＡによって実現することができる。ＬＤＡの２つの機能（即ち光の抽出と誘導）を実施するためには、ＬＤＡを導波路とは別に製造し、その後、積層、接着などによって導波路に固定する必要がある。一般にＬＤＡは、導波路の光出力面の１部分のみが接触する複数の３次元プリズム（錐体など）を備えており、これがＬＤＡと導波路間の、１００％未満、通常は例えば８〜２０％の接触範囲となる。導波路の全体的な硬性と、個別製造したＬＤＡの時間が経つにつれて反ってしまうという傾向によって、ＬＤＡが導波路から分離し、照明装置に障害が生じてしまう。更に、ＬＤＡと導波路間の光結合は過酷な条件に晒されることになり、また、極些細な妨害でも照明装置に影響を及ぼしてしまう。
そこで、上述した従来技術の欠点を克服する光抽出及び誘導特徴を備えた照明装置が必要である。
【０００３】
【発明の概要】
本発明は、密接に結合させる必要のない、導波路からの光を抽出及び誘導するための別々の構成要素を備えた照明装置を提供する。光の抽出と誘導機能に個別の構成要素を設けることにより、本発明は、例えばＬＤＡのような、導波路と光学及び物理的に結合した単一の光抽出及び光誘導構成要素を設ける必要性を省くことができる。更に、本発明は、ＬＤＡを積層した従来の照明装置に伴う障害を仮想的に除去することができ、照明装置の製造コストを低減でき、本発明に従って製造した照明装置の全体の性能と信頼性を向上させることが可能な、信頼性と耐性を更に高めた照明装置を提供する。
【０００４】
本発明の第１実施例では、光源からの光線を分配するための照明装置は、１よりも大きな第１屈折指数を持った、光源からの光線を伝搬する導波路を備える。照明装置は更に光抽出構造を備えており、この光抽出構造の上部には、光が光抽出構造を介して中実導波路から直接脱出することを促進するための光抽出特徴が画定される。光抽出特徴は、断面で見ると、広い側部と狭い側部を備えており、広い側部は狭い側部よりも中実導波路に接近して配置される。照明装置は更に、光抽出構造を中実導波路と約１００％の接触率で結合するためのインターフェースを備える。このインターフェースは、導波路の第１屈折指数よりも小さな第２屈折指数を有する。
【０００５】
本発明の第２実施例では、光源からの光線を分配するための照明装置は、１よりも大きな第１屈折指数を持った、光線を伝搬するための中実導波路を備える。照明装置は更に光抽出構造を備えており、この光抽出構造の上部には、光が光抽出構造を介して中実導波路から直接脱出することを促進するための光抽出特徴が画定される。光抽出特徴は、断面で見ると、広い側部と狭い側部を備えており、広い側部は狭い側部よりも中実導波路に接近して配置される。照明装置は更に、光抽出構造を中実導波路と約１００％の接触率で結合するためのインターフェースを備える。このインターフェースは、第１屈折指数よりも小さな第２屈折指数を有する。照明装置からの光出力の分配を誘導するために、光抽出構造とは別の、光誘導特徴を上部に設けた光誘導構造が提供される。光誘導特徴は、光抽出特徴に相補的に寸法及び形状が形成されており、両特徴間の相互嵌合内に配置される。
【０００６】
本発明の第３実施例では、光源からの光線を分配するための照明装置は、１よりも大きな屈折指数を備えた中実導波路と、これに一体形成された光抽出構造とを含み、光抽出構造は、光線が光抽出構造を介した中実導波路からの直接の通過を促進するための光抽出特徴を備える。光抽出構造からの光線の分配を誘導するために、光抽出構造とは別の、上部に光誘導特徴を備えた光誘導構造が提供される。光誘導特徴は、光抽出特徴に相補的に寸法及び形状が形成されており、両特徴間の嵌合内に配置される。
【０００７】
本発明の照明装置は、導波路と光学及び物理的に結合したＬＤＡを設ける必要性がないため有益である。また、従来の照明装置よりも信頼性、耐性が高く、ＬＤＡを積層した従来の照明装置に伴う障害を仮想的に除去することができる。製造コストが低減され、システム性能と信頼性が向上した。本発明の照明装置は製造費が安価であり、効率的で、信頼性の高い方法で動作し、低コストでの長時間動作が可能である。
本発明は、以下に示す発明の好ましい実施例の詳細な説明と添付の図面を参照することにより完全に理解され、さらなる利点が明白になる。いくつかの図面を通して、類似した要素には同一の参照番号を付している。
【０００８】
【発明の詳細な説明】
本発明は、導波路から光を抽出及び誘導する構成要素を個別に備え、導波路と光学及び物理結合した２機能ＬＤＡを設ける必要のない照明装置を提供する。更に本発明は、本発明に従って構成することで、積層ＬＤＡを備えた従来の照明装置に伴う障害を仮想的に除去し、製造コストを低減させ、全体的なパフォーマンスと信頼性を向上させる、高い信頼性を持ち頑丈な照明装置を提供する。
【０００９】
次に図面を参照する。図１は、本発明による照明装置１０のブロック図を示している。一般に、照明装置１０は、光源２０と光学結合した中実導波路３０を装備している。光源２０から受けた光線２２が導波路３０内部を通って伝搬され、導波路３０と光学結合した、又は導波路に一体形成された光抽出構造６０を通って脱出する。光線２２は光抽出構造６０から脱出し、照明装置１０からの光出力の分配を誘導する個別に設けられた光誘導構造８０へと向かう。導波路３０の光出力面３２（図５ａを参照）と光抽出構造６０の光入力面６６（図６ａを参照）との物理及び光学接触は約１００％である。
【００１０】
光抽出構造６０が導波路３０に一体形成されていない場合は、インターフェース５０が出力面と入力面間の約１００％の物理及び光学接触を提供する。導波路３０は、１よりも大きいことが好ましい第１屈折指数ｎ１を有する。好ましい実施例では、導波路３０の構成物質はアクリル又はポリカーボネートであり、第１屈折指数ｎ１はそれぞれ約１．４９と１．５９である。インターフェース４０は、第１屈折指数ｎ１よりも小さな第２屈折指数ｎ２を有する。
【００１１】
本発明の照明装置１０に設置する光源２０の数は、導波路３０の形状と、照明装置１０が必要とする光出力とによって多少異なる。光源２０は末端形（電球）、線形（蛍光灯）、環状であってよい。また光源２０は導波路３０の縁に配置されており、光線２２が、照明装置１０から出る角度に対して直角な角度で導波路３０に入れるようにすることが好ましい。例えば図２に示すように、一般に光線２２はｘ軸に沿って導波路３０に入り、ｚ軸に沿って照明装置から出る。光源２０を反射物３８（図２を参照）で包囲し、光源から発せられる光線２２を導波路３０内に誘導するようにしてもよい。導波路３０の裏面３４は平坦で滑らかであってよく、また、反射物（図示せず）を備えることが好ましい。
【００１２】
本発明の照明装置の第１実施例を図２に示す。照明装置１０は、中実であり通常は矩形の導波路３０と、インターフェース４０によって導波路３０と物理及び光学接続した光抽出構造６０とを備える。インターフェース４０は、屈折指数ｎ２が導波路３０の屈折指数ｎ１よりも小さい限り、フッ素ポリマーとアクリルポリマーを含有した任意の市販される接着剤や、その他のシリコン又はアクリルベースの材料であってもよい。光抽出構造６０上に画定される光抽出特徴６２は、光抽出構造６０の光出力面６４に画定されたレンチキュラ補正を複数装備している。光抽出特徴６２は、光線が導波路３０に入りこれを通って伝搬される平均方向に対して実質的に垂直な方向を向いていることが好ましい。
【００１３】
図２の実施例では、光抽出特徴６２は、光出力面６４に設けられた実質的に単方向の引きかきを複数備えることが好ましい。光誘導構造８０は、光抽出構造６０及び/又は導波路３０に、クランプ、接着剤、ねじ、又はその他従来の固定技術（図示せず）によって固定される。光誘導構造８０と光抽出構造６０間（即ち、光抽出特徴６２と光誘導特徴８２間）は密接に接触している必要はないが、このような接触によって本発明の照明装置１０のパフォーマンスと動作が逆に影響を受ける必要はない。光誘導特徴８２は光誘導構造８０の光入力面上に画定されており、光抽出特徴６２と平行する方向に向かってのびていることが好ましいレンチキュラプリズム８４を複数設けている。
【００１４】
光誘導構造８０の光出力面９０は実質的に平坦であることが好ましい。あるいは、図７ｂに示すように、光誘導特徴を光出力面９０上に設けることもできる。光線２２は、（光出力面６４と光抽出特徴６２とを介して）光抽出構造６０から脱し、光入力面８６を介して光誘導構造８０に進入してこれを通過する。本発明の照明装置１０からの光出力の分配の少なくとも１部分は、インターフェースの性質（つまり、その屈折指数ｎ２）と、光抽出特徴６２と誘導特徴８２の性質及び形状とによって制御される。次に、これについて更に詳細に説明する。
或る照明装置の用途では、光誘導構造６０が光誘導構造としても機能するため光誘導構造８０を別に設ける必要がない。
【００１５】
図３に示した実施例と図２の実施例の相違点は、光抽出特徴６２と光誘導特徴８２は相補的に寸法および形状が形成され、相互嵌合するように配置されるところである。この実施例において、光抽出特徴６２は、光線２２が導波路３０内に進入し、導波路３０内で伝搬される方向に対して実質的に平行な方向にのびるレンチキュラ補正を複数画定している。光抽出特徴６２の断面形状は、例えば三角形、台形、正方形、矩形、多面形、湾曲形（例えば図９ａ〜図９ｆを参照）であってよい。本発明では、非限定的な例証の方法によって提示した、前述の図９ａ〜図９ｆに示したこれ以外の断面形状を考慮することもできる。また、光抽出特徴６２は１列の補正を光出力面６４に設け、この補正の各々が図９ｇに示す形状断面を備えていてもよい。それぞれの光抽出特徴６２は、一定又は異なった空間で離間していてもよく（つまり対称的又は非対称的配置）、あるいは、図９ｆに示すように相互に接触していてもよい。光抽出特徴６２は、導波路３０に沿って縦方向に、又は導波路３０を横断して横方向にのびていてもよい。
【００１６】
光誘導構造８０の光入力面８６上に画定された光誘導特徴８２は、光抽出特徴６２に相補的に寸法および形状が形成されるため、両特徴間の嵌合が可能である。例えば、光抽出特徴６２は断面が三角形（図９ｃ）で、また、光誘導特徴８２の断面も三角形であってよい。あるいは、光誘導特徴８２は光抽出特徴８２に相補的に寸法が形成されるが、図８ｃに示すように、光抽出特徴６２が光誘導特徴８２内に位置する断面形状、又はその逆の断面形状を有する。光抽出特徴６２と光誘導特徴８２間には密接な接触は必要ないが、しかし、このような接触によって本発明の照明装置の性能又は動作が逆に影響を受ける必要はない。
【００１７】
図４に示す本発明の第３実施例では、光抽出構造６０と光誘導特徴６２は中実導波路３０に一体形成される。更に光抽出特徴６２と光誘導特徴８２も、両特徴間が嵌合できるよう相補的に寸法が形成され、また任意で相補的な形状に形成される。光抽出特徴６２と光誘導特徴８２の構造、即ち寸法と形状は、図３の実施例で説明したものと実質的に同一である。
本発明の多くの実施例に従って構成された照明装置１０の一般的な形状を説明したが、次に、光抽出構造６０と光誘導構造８０の構造と、両構造間の相互関係について更に詳細に説明する。
【００１８】
図６ａ〜図６ｅに、光抽出特徴６２の数々の実施例を示す。一般に、光抽出特徴６２は、光抽出構造６０の光出力面６４に画定された、レンチキュラ補正を複数備える。図６ｂに明瞭に示すように、断面で見ると光抽出特徴６２は広い側部６７と狭い側部６９を備える。ある好ましい実施例では、光抽出特徴６２は、光抽出特徴６２の広い側部６７が狭い側部６９よりも導波路３０に近くなるように（つまり、導波路３０の光出力面３２に近くなるように）、導波路３０に関連して配置される。この形状により、光線２２の主にｘ-ｚの方向、つまり１方向における拡散が得られる。上述したように、光抽出構造６０を中実導波路３０とは別に、又はこれに一体形成することができる。
【００１９】
図６ａでは、光抽出特徴６２は、紙やすり、あら磨きなどによって作成した光出力面６４上に、無作為又は均等に離間した引きかきを複数備える。光抽出特徴６２は、光線２２が導波路３０に進入してその中で伝搬される方向に対して垂直な方向、つまりｙ方向にのびていることが好ましいが、光抽出特徴６２は光が進行する方向と平行した方向、つまりｘ方向にのびていてもよい。また、光抽出特徴６２を備えた更に別の補正は、１列に配列されていたり、導波路３０の縦あるいは横に添って縦方向にのびた、断面が正方形又は矩形のバンプ、台形又は三角形のバンプ、多面形バンプ、湾曲した側面を持ったバンプ、連続的に湾曲したバンプを装備する。
【００２０】
光抽出特徴６２は光抽出構造６０上のある範囲を画定している。この範囲は光抽出構造６０の全体範囲よりも小さいか、これと等しい。また、光抽出特徴６２によって画定されたこの範囲は、光抽出構造６０の全体範囲の約５〜１００％であることが好ましい。
図６ｂ〜図６ｅに、光抽出特徴６２の更に別の実施例を非限定的な例証の方法で示す。図６ｂでは、光抽出特徴６２は、構造化した光出力面６４を設けるべく、光抽出構造６０から外側に向かってのびた、レンチキュラの多角形補正を複数装備している。図６ｃに示す光抽出特徴６２の別の実施例では、光抽出構造６０の光出力面６４は、レンチキュラの多角形のくぼみとして画定された複数の光抽出特徴６２によって構造化される。図６ｄでは、光抽出特徴６２は外側に向かってのびる、湾曲したレンチキュラ補正を複数備える。
【００２１】
本発明の光抽出特徴６２の更に別の実施例を図６ｅに示す。この実施例の光抽出特徴６２は光源（単数又は複数）２０付近に配置されており、光源２０からの光線２２が導波路３０に進入する前にこれを再誘導する２つの凸面を備える。反対に、図６ａ〜図６ｄに示した光誘導特徴６２は、導波路３０に進入した後に光線２２に影響を及ぼす。いずれの場合にも、光抽出特徴６２は、導波路３０内を通って伝搬する光線２２を導波路から脱出させる手段を提供する。
【００２２】
本発明の光誘導構造８０は、所望の光誘導機能を装備するべく様々な方法で構成することができる。図７ａ〜図７ｃに、このような例証的な非限定的実施例３例を示す。本発明では図７ａ〜図７ｃ以外の光誘導構造８０も考えられることが当業者には明白であり、また、これらの実施例は本発明の非限定的な例証として援用される。まず図７ａを参照すると、光誘導構造８０は、実質的に平坦な光出力面９０と、構造化した光入力面８６として構成された光誘導特徴８２とを備えた光誘導アレー（ＬＤＡ）８８として構成される。上述の光入力面８６は断面が三角形の、レンチキュラ補正８４を１列備える。光入力面８６は光抽出構造６０の光出力面６４と接触している必要はないが、このような接触によって照明装置１０の動作やパフォーマンスが逆に影響されることはなく、これは本発明で熟考される。好ましい実施例では、光抽出特徴６２と光誘導特徴８２は相互嵌合に配置できる相補空間を設けている。図８ａ〜図８ｅに、このような相補的な光抽出特徴と光誘導特徴８２の例５例を示す。
【００２３】
図７ｂに示す実施例では、光誘導構造８０は構造化した光出力面９０を備えたＬＤＡ８８と、実質的に平坦な光出力面８６とを設けている。光出力面９０上に画定された光誘導特徴８２は、相互に接触して配置された複数の三角形のレンチキュラレンズ９４を備える。
【００２４】
次に図７ｃを参照すると、光誘導構造８０は、２次元の断面形状を有するレンチキュラ補正８４、８４'として構成された各々第１光誘導特徴８２、第２光誘導特徴８２'を具備した第１ＬＤＡ８８、第２ＬＤＡ８８'を設けている。あるいは、第１光誘導特徴８２、第２光誘導特徴８２'は、多次元の断面形状（つまり、３次元）の複数のレンチキュラプリズムアレーを備えていてもよい。ＬＤＡ８８、８８'はそれぞれの光出力面９０、９０'と、光入力面８６、８６'とを備える。好ましい実施例では、第１ＬＤＡ８８の光入力面８６は実質的に平坦であり、光出力面９０は構造化される。第２ＬＤＡ８８'の場合は、光入力面８６'は構造化されており、光出力面９０'は実質的に平坦である。好ましい実施例では、第１光誘導特徴８２、第２光誘導特徴８２'は、直接対向関係において相互に積層されており、また、相互に直交して配置される。
【００２５】
本発明の照明装置１０からの光出力の角度分配の少なくとも１部分は、光抽出特徴６２の形状によって制御される。更に詳細に、また、図６ｂを参照し、光出力面６４に対して直交する線と、光抽出特徴６２の側壁６８の傾斜又はスロープとの間の角度として傾斜角度ｗが画定される。傾斜角度ｗは次式を用いて算出する。
w=asin[2・cosC・((nl)2-1)1/2/((nl)2-sin2C)]        （１）
ここで、Ｃは所望のカットオフ角度であり、ｎ１は光抽出構造６０の第１屈折指数である。カットオフ角度Ｃは、ｙ軸（図６ｂ参照）に沿ってとった直角からのビューイングアングルとして画定され（ここでは、照明装置１０の光出力面９０に対して約０°のビューイングアングルとして定義される）、この上では、照明装置１０からの目で見てわかるほどの相当量の光が検出されることはない。本発明の好ましい実施例の場合、カットオフ角度は０〜９０°の範囲で変化する。図１０に、傾斜角度ｗとカットオフ角度Ｃの関係をグラフで示すが、一般に、カットオフ角度Ｃが増加すると傾斜角度ｗが減少する。
【００２６】
照明装置１０からの光出力の角度分配の少なくとも１部分は、インターフェース４０の屈折指数ｎ２が提供される場合には、これによっても制御される。インターフェース４０の屈折指数ｎ２とカットオフ角度Ｃの関係は、次式で定義することができる。
ｎ２≦｛（ｎｌ）2−（ｃｏｓＣ）2｝1/2              （２）
ここで、ｎ２はインターフェース４０の屈折指数であり、ｎ１は導波路３０の屈折指数であり、Ｃは所望のカットオフ角度である。この関係を図１１にグラフで示す。
【００２７】
光抽出特徴６２の側壁６８の傾斜角度ｗを変更することにより、また、特定の屈折指数ｎ２を備えたインターフェース４０を選択すること、光誘導特徴形状を選択することにより、全方向におけるカットオフ角度Ｃを選択的に求めることができ、本発明の照明装置１０の光出力分配を選択的に制御することができる。
ここまで本発明をほぼ完全に詳細にわたって説明したが、このような詳細部分に厳密に従う必要はない。しかし当業者には、本発明の範囲に収まる範囲内での様々な変更や改良が、添付の請求項によって定義される通りの形において可能であることが明白であろう。
【図面の簡単な説明】
【図１】
本発明に従って構成された、光を抽出及び誘導するための構成要素を備えた照明装置のブロック図である。
【図２】
本発明に従って構成された照明装置の第１実施例を示す組立分解側面図である。
【図３】
本発明に従って構成された照明装置の第２実施例を示す側面図である。
【図４】
本発明に従って構成された照明装置の第３実施例を示す側面図である。
【図５】
図５ａ〜５ｄは、本発明による中実導波路形状の様々な実施例を示す側面図である。
【図６】
図６ａ〜図６ｅは、本発明による光抽出特徴の様々な実施例を示す側部断面図である。
【図７】
図７ａ〜図７ｃは、本発明の光誘導特徴の様々な実施例を示す側部断面図である。
【図８】
図８ａ〜図８ｅは、本発明による様々な光誘導特徴と光抽出特徴間の相互嵌合を示す側面図である。
【図９】
図９ａ〜図９ｇは、本発明の光抽出特徴の様々な実施例を示す側部断面図である。
【図１０】
本発明による、光抽出特徴の側壁の傾斜角度と照明装置からの光出力のカットオフ角度間の関係を示したグラフである。
【図１１】
本発明による、インターフェースの屈折指数と照明装置からの光出力のカットオフ角度間の関係を示したグラフである。